(57)【特許請求の範囲】
【請求項１】
ベース部材と、
該ベース部材の一方面に配設されたコアと、
該コアに形成された間隙部に回転可能に配置されたロータと、
上記ベース部材の他方面に対向して、上記ロータに設けられた打球槌と、
上記コアに外装されるコイルと、を備えており、
上記ベース部材には、上記コイルの一部を収容する収容部が形成されており、
該収容部は、上記打球槌の可動範囲に対向する位置において、該打球槌に接触しない範囲内で、上記他方面側に突出しており、
上記コアは、上記ベース部材の一方面に密着しており、かつ、左右に配置された一対の左右コア部と、該一対の左右コア部よりも長く、該一対の左右コア部の各上端及び各下端のいずれか一方に繋がった長コア部と、該長コア部に対して平行な状態で、上記間隙部を中間位置に設けて上記一対の左右コア部の各上端及び各下端の他方に繋がった一対の短コア部とを有しており、
上記コイルは、上記一対の短コア部のほぼ全長に亘ってそれぞれ外装された一対の分割コイルであり、
上記ロータは、一対の突部を有しており、
上記打球槌は、上記一対の分割コイルが通電されたときには、上記一対の突部が上記一対の短コア部の端部に引き寄せられることにより回動して遊技球を打球するよう構成されていることを特徴とする遊技機の球発射装置。
【発明の詳細な説明】
【技術分野】
【０００１】
本発明は、遊技機において、コイルへの通電によって生じる磁力を利用して遊技球を打球する球発射装置に関する。
【背景技術】
【０００２】
パチンコ遊技機等の遊技機においては、遊技球を遊技盤の遊技領域へ発射する球発射装置が、遊技盤に対する下方位置に設けてある。球発射装置としては、モータによる駆動力を受けて遊技球を打球するもの、ソレノイド（コイルへの通電）による駆動力を受けて遊技球を打球するもの等がある。また、球発射装置は、遊技機の正面から見た左側に配設して略垂直方向に遊技球を打球するもの、遊技機の正面から見た右側に配設して斜め上方向に遊技球を打球するもの等がある。
例えば、特許文献１のパチンコ発射機用有限角トルカーは、一対の固定子用極歯を有する固定子と、固定子に巻回されたコイルと、固定子に対して所定角度回転可能に設けられた回転子と、回転子に取り付けられ回転子と共に回転移動してパチンコ玉を打撃するハンマーとを備えている。そして、コイルに通電を行ったときには、固定子における一対の固定子用極歯と、回転子における一対の回転子用極歯とが引き合って、ハンマーによってパチンコ玉を打撃している。
【先行技術文献】
【特許文献】
【０００３】
【特許文献１】特開２００１−１３７４４２号公報
【発明の概要】
【発明が解決しようとする課題】
【０００４】
ところで、遊技盤に配設する画像表示装置の拡大等に伴い、遊技領域の更なる拡大を狙って、球発射装置等の機能部品を小型化したい要請がある。
しかしながら、特許文献１においては、固定子と回転子との構造について工夫を行っているのみである。そして、固定子及び回転子等を配設するケースを含めた装置全体の小型化を図る工夫はなされていない。また、特許文献１の球発射装置が、遊技機の背面側に向けて大きく突出する場合には、この球発射装置が、遊技終了球を受け入れるために遊技ホールの島設備に備えられた球受け部等に干渉してしまうおそれがある。
従って、装置全体の薄型化や小型化を図り、島設備の球受け部等との干渉を避けるためには更なる工夫が必要とされる。
【０００５】
本発明は、かかる背景に鑑みてなされたもので、装置全体の薄型化を図ることができ、遊技機に対する設置の自由度を向上させることができる遊技機の球発射装置を提供しようとするものである。
【課題を解決するための手段】
【０００６】
本発明は、ベース部材と、
該ベース部材の一方面に配設されたコアと、
該コアに形成された間隙部に回転可能に配置されたロータと、
上記ベース部材の他方面に対向して、上記ロータに設けられた打球槌と、
上記コアに外装されるコイルと、を備えており、
上記ベース部材には、上記コイルの一部を収容する収容部が形成されており、
該収容部は、上記打球槌の可動範囲に対向する位置において、該打球槌に接触しない範囲内で、上記他方面側に突出しており、
上記コアは、上記ベース部材の一方面に密着しており、かつ、左右に配置された一対の左右コア部と、該一対の左右コア部よりも長く、該一対の左右コア部の各上端及び各下端のいずれか一方に繋がった長コア部と、該長コア部に対して平行な状態で、上記間隙部を中間位置に設けて上記一対の左右コア部の各上端及び各下端の他方に繋がった一対の短コア部とを有しており、
上記コイルは、上記一対の短コア部のほぼ全長に亘ってそれぞれ外装された一対の分割コイルであり、
上記ロータは、一対の突部を有しており、
上記打球槌は、上記一対の分割コイルが通電されたときには、上記一対の突部が上記一対の短コア部の端部に引き寄せられることにより回動して遊技球を打球するよう構成されていることを特徴とする遊技機の球発射装置にある（請求項１）。
【発明の効果】
【０００７】
上記球発射装置は、打球槌とコア及びコイルとの位置関係の工夫、並びにベース部材の形成状態の工夫により、装置全体の薄型化を図ったものである。
具体的には、ベース部材の一方面に、コイルを外装したコアを配設し、ベース部材の他方面に、ロータに設けられた打球槌を配置している。また、ベース部材の厚み方向において、コア及びコイルの配置位置と、打球槌の配置位置とをできるだけ接近させている。
【０００８】
そして、ベース部材の形状は、コイルの一部分を収容する収容部を、打球槌が位置する他方面側に突出させている。また、この収容部は、打球槌に接触しない範囲内で、打球槌の可動範囲に対向する位置に形成している。これにより、打球槌との干渉を避けて収容部を形成して、球発射装置全体の薄型化を図ることができる。そのため、遊技機において、球発射装置を配設するスペースを小さくすることができ、遊技機に対する球発射装置の設置の自由度を向上させることができる。
【０００９】
また、打球槌が位置する他方面側に突出するコイルの一部を収容部によって覆うことにより、遊技球等からコイルを保護することができる。
さらに、突出部が、ベース部材の他方面側に突出して、打球槌とベース部材の他方面との間に形成される隙間に配置される。これにより、この隙間内へ遊技球が入り、打球槌上に不要に載置されてしまうことを防止することができる。
【００１０】
それ故、上記遊技機の球発射装置によれば、装置全体の薄型化を図ることができ、遊技機に対する設置の自由度を向上させることができる。
【図面の簡単な説明】
【００１１】
【図１】実施例１に関する、球発射装置をベース部材の他方面側から見た状態で示す裏面図。
【図２】実施例１に関する、球発射装置をベース部材の一方面側から見た状態で示す前面図。
【図３】実施例１に関する、球発射装置におけるコイルの配設部分を示す図で、図１におけるＡ−Ａ断面図。
【図４】実施例１に関する、球発射装置における打球槌の回転軸部の配設部分を示す図で、図１におけるＢ−Ｂ断面図。
【図５】実施例１に関する、球発射装置を配設した遊技機を示す前面図。
【図６】実施例１に関する、整流器を球入口の側から見た状態で示す前面図。
【図７】実施例１に関する、整流器を球出口の側から見た状態で示す裏面図。
【図８】実施例１に関する、整流器における球送り部材及び不正防止板の周辺を示す斜視図。
【図９】実施例２に関する、球発射装置をベース部材の他方面側から見た状態で示す前面図。
【発明を実施するための形態】
【００１２】
上述した遊技機の球発射装置における好ましい実施の形態につき説明する。
上記遊技機の球発射装置においては、上記コアは、上記ベース部材の一方面に密着しており、かつ、左右に配置された一対の左右コア部と、該一対の左右コア部よりも長く、該一対の左右コア部の各上端及び各下端のいずれか一方に繋がった長コア部と、該長コア部に対して平行な状態で、上記間隙部を中間位置に設けて上記一対の左右コア部の各上端及び各下端の他方に繋がった一対の短コア部とを有しており、上記コイルは、上記一対の短コア部のほぼ全長に亘ってそれぞれ外装された一対の分割コイルであり、上記ロータは、一対の突部を有しており、上記打球槌は、上記一対の分割コイルが通電されたときには、上記一対の突部が上記一対の短コア部の端部に引き寄せられることにより回動して遊技球を打球するよう構成されている。
【００１３】
コイルをロータに近い位置に配設することにより、コアに発生させる磁力を、損失を抑えつつ適切にロータに作用させることができる。また、各分割コイルは、それぞれコアの間隙部から一対の短コア部へと容易に外装することができる。
また、コアをベース部材の一方面に密着させて配設することにより、装置全体の薄型化をさらに促進させることができる。これに併せて、コアに発生する熱を、ベース部材を通じて放熱させることもできる。
【００１４】
また、略四角環形状のコアは、その長尺側の辺部が上下方向に並んで配置されるように配設している。これにより、球発射装置における、特に磁力を発生させる駆動源部の上下方向の寸法をさらに小さくすることができ、装置全体を小型化することができる。
また、一対の分割コイルは、上記略四角環形状のコアにおいて、長尺辺側に配置される一対の短コア部のほぼ全長に亘ってそれぞれ外装している。これにより、コイルの設置領域を広く確保することができ、遊技球の発射力として用いられる磁力をさらに増大させることができる。
【００１５】
なお、間隙部を設ける「中間位置」とは、長尺側の辺を略２等分する位置を含むとともに、その位置を基点として左右方向に若干ずれた位置（詳しくは、長尺辺の全体寸法に対して１０％前後、左右方向にずれた位置）も含む。この場合は、一対の短コア部の長さ寸法が同一ではなくなる。そして、各分割コイルは、これを外装する各短コア部の長さ寸法に対応して、それぞれの長さ寸法を設定することができる。
【実施例】
【００１６】
以下に、遊技機の球発射装置にかかる実施例につき、図面を参照して説明する。
（実施例１）
本例の遊技機１０の球発射装置１は、図１、図２に示すごとく、ベース部材２と、ベース部材２の一方面２０１に配設されたコア３と、コア３における間隙部３０に回転可能に配置されたロータ５と、ベース部材２の他方面２０２に対向してロータ５に設けられた打球槌６と、コア３に外装され、マグネットワイヤ４３を巻き付けたボビン４２によって構成されるコイル４とを備えている。図３に示すごとく、ベース部材２には、コイル４の一部を収容する収容部２１が形成されている。収容部２１は、打球槌６の可動範囲に対向する位置において、打球槌６に接触しない範囲内で、他方面２０２側に突出している。
【００１７】
以下に、本例の遊技機１０の球発射装置１につき、図１〜図５を参照して詳説する。
本例の遊技機１０は、遊技球としてのパチンコ球を、遊技領域へ発射させてパチンコ遊技を行うパチンコ遊技機である。本例の球発射装置１は、コイル４への通電によって生じる磁気吸引力（磁力）を利用して遊技球を打球するものである。
図３に示すごとく、ベース部材２は、コア３から発せられる熱を放熱しやすくするために、アルミニウムのダイキャスト品によって形成されている。コア３は、その一方の表面を、ベース部材２の一方面２０１に密着させて、ベース部材２にネジで固定される。ベース部材２は、コア３及びコイル４の一方側におけるカバーの機能を兼ねることになる。
【００１８】
同図に示すごとく、コア３及びコイル４は、ベース部材２にビス等によって取り付けられるカバー部材２６によって覆われる。コア３及びコイル４は、一方側がベース部材２によって覆われ、他方側がカバー部材２６によって覆われる。なお、図２においては、カバー部材２６を二点鎖線で示す。
ベース部材２は、金属材料から形成する以外にも、ガラス入り樹脂を射出成形して形成することができる。この場合には、ベース部材２の放熱効果及び強度を維持しつつ、寸法精度の安定化及びコストダウンを図ることができる。
【００１９】
図５に示すごとく、コア３及びコイル４が配設された、ベース部材２の一方面２０１は、遊技機１０の前面方向（遊技者に対向する側）に向けて配置され、打球槌６が配置された、ベース部材２の他方面２０２は、遊技機１０の裏面方向に向けて配置される。
図１に示すごとく、ベース部材２の他方面２０２には、発射させる遊技球を発射位置（打球位置）に着座させ、発射された遊技球を所定方向へと誘導するための発射レール２３と、原位置６０１にある打球槌６の先端部が接触する原位置ストッパー２４Ａと、打球位置６０２に回動した打球槌６の先端部が接触する打球位置ストッパー２４Ｂとが配設されている。
【００２０】
打球位置ストッパー２４Ｂは発射レール２３の上方位置に配設されている。打球位置ストッパー２４Ｂには、発射レール２３に着座された遊技球の上側部分と当接して、発射レール２３とともに遊技球の発射位置への着座を安定させるための発射球受け突部２４４が形成されている。また、打球位置ストッパー２４Ｂには、後述する整流器７から送り出されてくる遊技球を、発射レール２３の発射位置に速やかに安定して着座させるための発射球受け壁部２４３が形成されている。なお、図１において、発射位置に着座された遊技球を符号Ｒで示す。
【００２１】
図２に示すごとく、ベース部材２は、打球槌６の可動範囲における下部に、遊技機１０の前面側から打球槌６における打球部６１の周辺のメンテナンスを可能にするための切欠部２２を有している。また、切欠部２２の前面側には、通常時において、切欠部２２から遊技球等が打球槌６側に向けて侵入することを防止するための着脱（開閉）可能な保護カバー２２１が設けられている。メンテナンス時においては、保護カバー２２１を適宜開放することによって、内部に設けられる打球部６１等をメンテナンスすることができる。
【００２２】
図２、図３に示すごとく、コア３は、複数の電磁鋼板をベース部材２の厚み方向に積層して形成されている。本例のコア３は、左右に配置された一対の左右コア部３３と、一対の左右コア部３３よりも長く、一対の左右コア部３３の各上端に繋がった長コア部３１と、長コア部３１に対して平行な状態で、間隙部３０を中間位置に設けて一対の左右コア部３３の各下端に繋がった一対の短コア部３２とを有している。
【００２３】
コア３は、互いに平行に配置された長コア部３１及び一対の短コア部３２と、互いに平行に配置された一対の左右コア部３３とによって、一対の短コア部３２の間に間隙部３０を有する略四角環形状に折れ曲がって略Ｃ形状に形成されている。また、コア３は、間隙部３０が下側に位置する状態で、横長状にベース部材２に密着してビスで固定されている。なお、長コア部３１の長さ寸法と、一対の短コア部３２及び間隙部３０を合わせた長さ寸法とは、略同一になっている。
本例のコイル４は、２つに分割されたボビン４２に、マグネットワイヤ４３をそれぞれ巻き付けて、ほぼ同じ形状、構造を有する一対の分割コイル４１として形成されている。各分割コイル４１は、ロータ５に近い位置に配設されており、コア３に発生させる磁力を、損失を抑えつつ適切にロータ５に作用させることができる。
【００２４】
一対の分割コイル４１は、一対の短コア部３２のほぼ全長に亘ってそれぞれ外装されている。各分割コイル４１は、間隙部３０の幅よりも若干小さな幅で形成されており、間隙部３０から挿入して、各短コア部３２に外装できるようになっている。ここで、間隙部３０、各短コア部３２及び各分割コア４１の各寸法は、分割コイル４１が短コア部３２のほぼ全長に亘って外装されるように決定されている。
一方の分割コイル４１におけるマグネットワイヤ４３は、他方の分割コイル４１におけるマグネットワイヤ４３に架け渡されている。他方の分割コイル４１のボビン４２には、マグネットワイヤ４３を球発射装置１の外部の制御装置に接続するためのコネクタ４２１が設けられている。
【００２５】
このコネクタ４２１は、分割コイル４１が、コア３及びベース部材２に対して不適切な向きで組み付けられないように利用することができる。本例では、カバー部材２６に、コネクタ４２１を配置する配置穴２６１を設けている。そして、コネクタ４２１がこの配置穴２６１に配置されることにより、各分割コイル４１を、コア３及びベース部材２に対して適切な向きで組み付けることができる。
なお、分割コイル４１の組付の向きを規制するために、コネクタ４２１及び配置穴２６１を用いる以外にも、ボビン４２とカバー部材２６とに互いに係合する部分を設けることもできる。
【００２６】
図１、図３に示すごとく、ベース部材２は、分割コイル４１の配設位置に対応する部分が、打球槌６が配置されたベース部材２の他方面２０２において、収容部２１として突出している。収容部２１は、打球槌６の回転中心部である回転軸部５３に配設されたロータ５に対する左右両側の位置において、他方面２０２から外方へ向けて突出して形成されている。収容部２１は、ベース部材２の一方面２０１側に凹部２１１を形成して陥没させることにより、他方面２０２側に突出している。収容部２１は、ベース部材２の一方面２０１に密着させて固定したコア３に対して外装された各分割コイル４１が、ベース部材２の他方面２０２に突出する量に応じて、ベース部材２の他方面２０２に突出している。
また、図４に示すごとく、ベース部材２においては、収容部２１と連続して、ロータ５の周辺部分（後述する軸受５４Ｂ）を収容するためのロータ収容部２１２も形成されている。
【００２７】
図３に示すごとく、収容部２１の表面がベース部材２の他方面２０２から突出する量Ｈは、遊技球の略半球分の高さとなっている。また、収容部２１がベース部材２の他方面２０２に突出する上面２１３は、ベース部材２から離れるに連れて下方へ傾斜して形成されている。これにより、遊技球が収容部２１の上に載置されてしまうことを防止することができる。収容部２１の上面２１３は、傾斜させて形成する以外にも、角部をＲ形状にして形成することもできる。
【００２８】
図２、図４に示すごとく、ロータ５は、複数の電磁鋼板をベース部材２の厚み方向に積層して形成されている。ロータ５は、周方向の互いに対向する位置に形成された一対の小径部分５１と、周方向の残りの部分に形成された一対の大径部分５２とを有している。一対の大径部分５２は、小径部分５１よりも突出する一対の突部５２として形成されており、これによりロータ５が略小判形状になるように形成されている。
ロータ５は、打球槌６が原位置６０１にあるときには、一対の小径部分５１がコア３の一対の短コア部３２に対向している。そして、打球槌６を打球位置６０２に回転させるときには、一対の分割コイル４１に通電を行う。これにより、コア３に磁路が形成され、コア３の短コア部３２の端部３２１に、磁気吸引されたロータ５の一対の大径部分５２が対向する（同図において二点鎖線で示す。）。
【００２９】
図１に示すごとく、本例の球発射装置１は、打球槌６によって打球する遊技球を斜め上方へ発射させるよう構成されている。本例の打球槌６は、金属部材からなるアーム部６０に対して、樹脂からなる打球部６１をモールド成形して形成されている。この打球部６１のモールド成形を行う際には、パーティングラインが打球部６１の打球面６２に位置しないようにする。これにより、打球部６１を成形した後に、打球部６１の調整加工をすることが不要になり、打球の精度を向上させ、打球状態を安定化させることができる。
【００３０】
なお、本例の打球槌６においては、打球部６１の部分が、アーム部６０の部分に対して、厚み方向（前後方向）において、若干突出するように（膨らむような形状で）形成されている。このことを踏まえて、ベース部材２の収容部２１は、打球部６１の可動範囲（可動軌跡）を避けるように形成されている。収容部２１は、アーム部６０の可動範囲（可動軌跡）に対向する位置に形成されている。
【００３１】
図４に示すごとく、ロータ５は、軸受５４Ａ，５４Ｂによってベース部材２に回転自在に配設された、打球槌６の回転軸部５３に対して設けられている。軸受５４Ａ，５４Ｂはドーナツ状のベアリング部材で形成されており、ロータ５を間に挟んで回転軸部５３の両側に配置されている。回転軸部５３は、ロータ５の中心に偏心形状で形成された貫通穴と同じ断面形状を有しており、この貫通穴に圧入することにより、ロータ５に一体的に固着されている。また、ロータ５と一方の軸受５４Ａとの間にはバネ（付勢部材）５６が配置されている。なお、図４は、カバー部材２６を取り外した状態で示す。
【００３２】
また、一方の軸受５４Ａには、その外周部に、外方へ向けて突出する鍔部５４１が形成されている。一方の軸受５４Ａの鍔部５４１は、ビスによってベース部材２に固定されるプレート５７と当接するようになっている。そして、バネ５６の付勢力によって、一方の軸受５４Ａの鍔部５４１がプレート５７に当接することにより、一方の軸受５４Ａの固定位置が維持される。
【００３３】
また、他方の軸受５４Ｂは、その一方の面がロータ収容部２１２の内面に当接し、かつ、他方の面が回転軸部５３の外周に形成される凸部５３１と当接する。ロータ５がバネ５６の付勢力によってベース部材２の他方面２０２の方向（球発射装置１の背面方向）に向けて付勢されることにより、回転軸部５３の全体が一方面２０１から他方面２０２の方向に向けて付勢される。これにより、ロータ５及び一対の軸受５４Ａ，５４Ｂのすべての当接が付与される方向へバネ５６の付勢力を付加することができる。
バネ５６を用いた構成により、ベース部材２に対する回転軸部５３の前後方向（軸方向）の配置位置を適切に決定することができる。そのため、打球槌６の回転を安定させることができ、球発射装置１の球発射精度を向上させることができる。また、バネ５６によって、各軸受５４Ａ，５４Ｂとして設けられるベアリング内部の部材接触を確実に行うことができ、回転軸部５３の回転動作をより安定させることができる。
【００３４】
なお、打球槌６の打球回動駆動時は、バネ５６はロータ５と一体的に回動する。また、回転軸部５３において、ベース部材２の他方面２０２側に突出する部分には、カラー５８を介してナット５９を締め付けることにより、打球槌６が固定されている。
樹脂からなる打球部６１の打球面６２は、所定の広さを有する面形状に形成されている。この打球面６２には、球を打撃する瞬間に、その衝撃により若干の凹みが形成される。カラー５８の高さ（厚み）寸法を適宜変更することにより、打球面６２に形成される上記凹みの形成範囲を、遊技機１０における前後方向において適宜微調整することができる。
【００３５】
これにより、凹みによって、打球面６２が遊技球を打球する際に発生する反発力の向きを、遊技機１０における前後方向において若干微調整することができる。そのため、打球槌６によって発射される遊技球の、遊技機１０の前後方向に対する飛びの向きを、若干微調整することができる。そして、球発射装置１が取り付けられる遊技機１０の仕様、目的、環境等に合わせて、適宜、球飛びの精度を微調整することができる。
【００３６】
図１に示すごとく、打球槌６の原位置６０１においては、打球部６１が、打球槌６における回転軸部５３に対して略水平方向に位置する。打球槌６は、一対の分割コイル４１におけるマグネットワイヤ４３が通電され、ロータ５の一対の突部５２がコア３の一対の短コア部３２の端部３２１に引き寄せられることにより、上方へ回動して遊技球を打球する打球位置６０２に移動する。また、打球槌６の可動範囲は、打球槌６の打球部６１が回転軸部５３に対して略水平方向（水平方向よりも若干下方）に位置する回転位置（原位置６０１）から、打球槌６の打球部６１が９０°未満（詳しくは、４５°〜６０°）の角度で回転して、回転軸部５３に対して斜め上方に位置する回転位置（打球位置６０２）まで形成されている。
【００３７】
原位置ストッパー２４Ａ及び打球位置ストッパー２４Ｂは、打球槌６の先端部が当接する、ゴム等の衝撃吸収部材２４１を用いて構成されている。衝撃吸収部材２４１は、カバー２４２によって覆われて、ベース部材２に取り付けられている。各ストッパー２４Ａ，２４Ｂは、衝撃吸収部材２４１の片側面をベース部材２で支持することにより、その取付精度を安定させることができる。
【００３８】
図５に示すごとく、遊技機１０の本体枠１１には、遊技領域１２１を形成する遊技盤１２が取り付けてあり、本体枠１１の前面側には、打球供給皿１４１及び補助球受皿１４２を設けた球皿パネル１４が開閉可能に配設してある。本体枠１１には、打球供給皿１４１が遊技球によって満タン状態になったとき、遊技球を補助球受皿１４２へ流下させるオーバーフロー流路が形成してある。
本例の球発射装置１は、遊技機１０の左右方向における略中央位置の下方部に配設してあり、この位置から左斜め上方に向けて遊技球を発射させるよう構成してある。
【００３９】
本体枠１１には、球発射装置１から発射される遊技球を遊技盤１２に向けて導くための発射球案内レール１１０が、球発射装置１から左斜め上方に向けて形成してある。また、発射球案内レール１１０の上方端部から延長した位置には、遊技球を遊技盤１２の前面に形成された遊技領域１２１に向けて導くための球ガイド（外レール）１２２が円弧状に形成されている。そして、球ガイド１２２の内方位置には、遊技盤１２の前面に遊技領域１２１を区画形成するために設けられた内レール１２３が、球ガイド１２２の円弧形状に相似の形状で配設されている。発射された遊技球は、球ガイド１２２と内レール１２３との間の領域を通って遊技領域１２１へと導かれる。
また、発射球案内レール１１０と球ガイド１２２との間には、球発射装置１から発射された後、遊技領域１２１に到達せずに球発射装置１の側に戻ってくるファール球（遊技球）を、ファール球回収流路へ回収するための入口部１５が形成されている。ファール球回収流路は、ファール球を打球供給皿１４１へ戻すよう構成されている。
【００４０】
本例の球発射装置１は、打球槌６とコア３及びコイル４との位置関係の工夫、並びにベース部材２の形成状態の工夫により、装置全体の薄型化を図ったものである。
具体的には、ベース部材２の一方面２０１に、コイル４を外装したコア３を配設し、ベース部材２の他方面２０２に、ロータ５に設けられた打球槌６を配置している。また、ベース部材２の厚み方向（前後方向）において、コア３及びコイル４の配置位置と、打球槌６の配置位置とをできるだけ接近させている。
【００４１】
そして、ベース部材２の形状は、コイル４の一部分を収容する収容部２１を、打球槌６が位置する他方面２０２側に突出させている。また、この収容部２１は、打球槌６（特にはアーム部６０）に接触しない範囲内で、打球槌６（特にはアーム部６０）の可動範囲に対向する位置に形成している。これにより、打球槌６との干渉を避けて収容部２１を形成して、球発射装置１全体の厚み方向（前後方向）の薄型化を図ることができる。そのため、遊技機１０において、球発射装置１を配設するスペースを小さくすることができ、遊技機１０に対する球発射装置１の設置の自由度を向上させることができる。
【００４２】
また、球発射装置１においては、比較的厚みを有するコア３及びコイル４が遊技機１０の前面方向であるベース部材２の一方面２０１に配設されていることにより、遊技機１０の裏面方向であるベース部材２の他方面２０２における突出寸法を抑えることができる。これにより、球発射装置１が、遊技ホールにおいて遊技機１０が設置される島設備内部の球受部等に干渉してしまうことを効果的に防止することができる。
また、打球槌６が位置する他方面２０２側に突出するコイル４の一部を収容部２１によって覆うことにより、遊技球等からコイル４を保護することができる。
さらに、収容部２１が、ベース部材２の他方面２０２側に突出して、打球槌６とベース部材２の他方面２０２との間に形成される隙間に配置される。これにより、この隙間内へ遊技球が入り、打球槌６上に不要に載置されてしまうことを防止することができる。
【００４３】
本例のコア３は、間隙部３０が下側に配置した略Ｃ形状を有するように形成されている。また、コア３は、長尺側の辺部が左右方向に伸びる略四角環形状で配設されている。これにより、球発射装置１における、特に磁力を発生させる駆動源部分の上下方向の寸法をさらに小さくすることができ、装置全体を小型化することができる。また、コア３をベース部材２の一方面２０１に密着させて配設することにより、装置全体の薄型化をさらに促進させることができる。これに併せて、コア３に発生する熱を、ベース部材２を通じて放熱させることもできる。
【００４４】
それ故、本例の遊技機１０の球発射装置１によれば、装置全体の薄型化及び小型化を図ることができ、遊技機１０に対する設置の自由度を向上させることができる。
【００４５】
ここで、球発射装置１へ遊技球を１球ずつ送り出す整流器７についての具体的な構造を示す。
図６に示すごとく、整流器７は、ソレノイド（電動式駆動源）７３の駆動を受けて回動軸７２１の回りに回動することによって遊技球を受け取って送り出す球送り部材７２を有している。球送り部材７２には、ソレノイド７３が励磁されたときに磁気吸引される金属板７２２が、回動軸７２１の中心と、球送り部材７２に形成された球送出部の中心とを結ぶ仮想ラインＬに対して、所定の距離離れた位置に、平行又は平行に近い傾斜角度で設けられている。整流器７は、前後に分割された２つのケース部を組み合わせて形成されるハウジング７１内に、ソレノイド７３を配置するとともに球送り部材７２を回動可能に配置して構成されている。
【００４６】
球送り部材７２は、回動軸７２１に対して金属板７２２が配置された側とは反対側にウェイト部７２３を有している。このウェイト部７２３を設けたことにより、球送り部材７２が、ソレノイド７３を励磁して回動した位置から、この励磁を解除したときの原位置へ戻りやすくすることができる。これにより、球送り部材７２を速やかに原位置へ復帰させることができる。
また、ウェイト部７２３を設けることにより、球送り部材７２自体の質量を若干重くすることができる。そのため、振動等によって球送り部材７２が無用に揺動することを軽減させることができ、無用な遊技球の送り出しを防止することができる。
【００４７】
図７、図８に示すごとく、整流器７のハウジング７１において、球送り部材７２における球出口７２５の周辺には、遊技の不正を行うために遊技球に取り付けた不正糸を切断することができる金属製の不正防止板７４を設けることができる。この不正防止板７４には、不正糸を切断するために整流器７の外方に向けて斜めに切り開いて形成された切断部７４１が形成されている。切断部７４１は、外方に向けて斜めに切り開かれた部分の開き間隔が奥（根元）へ行くほど狭くなるＶ溝形状を有している。そして、不正糸を取り付けた遊技球が発射された際には、外方に向けて斜めに切り開かれた切断部７４１に不正糸を引っ掛けて、その引っ掛かった不正糸をＶ溝形状の奥へと誘導して切断することができる。
【００４８】
なお、切断部７４１において不正糸を引っ掛けるための開放端部、及び切断部７４１が設けられる球出口７２５の周辺部には、奥側へ向けて傾斜するテーパー形状の案内部を形成することができる。これにより、不正糸が引っ掛かる間口を拡大させるとともに、引っ掛けた不正糸を奥側へと適切に誘導し切断することができる。
また、不正防止板７４は、整流器７内へ遊技球Ｒを入球させるためにハウジング７１に形成された球入口７２４の周辺に設けることもできる。
【００４９】
また、不正防止板７４は、次のようにしてハウジング７１に固定することができる。不正防止板７４には、ハウジング７１に形成されたソレノイド配置部７１１に嵌め込む嵌込部７４２と、ハウジング７１に形成されたネジ穴７１３にビス止めするためのビス止め用穴７４３と、ハウジング７１に形成された掛止穴７１４に掛止される被掛止突起７４４とが形成されている。そして、ソレノイド配置部７１１に嵌込部７４２を嵌め込むとともに、掛止穴７１４に被掛止突起７４４を掛止し、また、ビス止め用穴７４３に相通したビスをネジ穴７１３に螺合するとともにソレノイド配置部７１１に嵌め込まれた嵌込部７４２をソレノイド７３によって押さえ付けて、不正防止板７４をハウジング７１に固定することができる。
【００５０】
図７に示すごとく、整流器７のハウジング７１には、ソレノイド７３を固定するためのリブ７１５が形成されている。そして、ソレノイド７３は、リブ７１５に当接させ、このリブ７１５に形成されたビス止め用開口部７１６にビスを相通して、このビスをソレノイド７３のケースに形成されたネジ穴に螺合して、ハウジング７１に固定することができる。なお、ハウジング７１（一方のケース部）におけるビス止め用開口部７１６の上方部は、ビス止めの際に用いる工具が挿入できるように切り欠かれて形成されている。そして、この切り欠き部は、ハウジング７１を構成する他方のケース部に形成された塞ぎ部によって、２つのケース部が組み付けられた際に塞がれる。
また、リブ７１５は、不正防止板７４が固定される側のケース部（後ろ側に配設される一方のケース部）に一体的に形成することができる。これにより、ソレノイド７３と不正防止板７４とを、一方のケース部に予めまとめて配設することができ、整流器７の組立時の製造工程を簡略化することができる。
【００５１】
（実施例２）
本例は、打球槌６の形成状態及び配置位置が上記実施例１とは異なる例を示す。
図９に示すごとく、本例の球発射装置１は、打球槌６の原位置６０１において、打球槌６の打球部６１を回転軸部５３に対する下方位置に配置し、打球槌６を打球位置６０２に回転させて、斜め上方へ遊技球を打球するよう構成されている。
本例の打球部６１は、打球槌６の先端部分において屈曲形成されている。打球槌６において、打球部６１が形成されたアーム部６３と反対側の部分には、バランスウェイト部６４が形成されている。このバランスウェイト部６４を形成することにより、打球槌６の原位置６０１を、打球部６１が回転軸部５３の下方位置よりも上に持ち上がった位置になるように設定することができる。
【００５２】
原位置ストッパー２４Ａは、打球槌６の先端側部分を斜め上方から受け止める状態に形成されており、打球位置ストッパー２４Ｂは、バランスウェイト部を斜め上方から受け止める状態に形成されている。
本例においては、コア３及びコイル４が配設された、ベース部材２の一方面２０１は、遊技機１０の裏面側に配置され、打球槌６が配置された、ベース部材２の他方面２０２は、遊技機１０の前面側（遊技者に対向する側）に配置される。本例においても、上記実施例１と同様に、ベース部材２に収容部２１が形成されている。
本例においても、その他の構成は上記実施例１と同様であり、球発射装置１単体としての薄型化、上下方向の寸法の小型化等、上記実施例１と同様の作用効果を得ることができる。
【００５３】
（変形例）
なお、コア３は、上記のようなＣ形状に一体化されたもの以外にも、２つ以上に分割されたものを連結して形成することができる。コア３は、Ｃ形状とする以外にも、間隙部３０の形成及び磁路の形成が可能であればどのような形状にすることもでき、例えばＥ形状等の形状に形成することができる。
コア３に外装するコイル４は、複数に分割せず、１つの状態で用いることもできる。この場合には、コイル４は、コア３の長コア部３１に外装することができる。また、コイル４は、３つ以上に分割したものを用いることもできる。
【００５４】
コア３は、長コア部３１を下側に配置し、間隙部３０を間に形成する一対の短コア部３２を上側に配置して、ベース部材２に配設することもできる。また、間隙部３０は、一対の左右コア部のいずれかに形成することもできる。
また、収容部２１は、打球槌６における打球部６１の可動範囲に対向する位置であれば、打球部６１に接触しない範囲内で任意の突出量で突出させて形成することができる。
【００５５】
ロータ５と回転軸部５３とは、磁性粉と樹脂との混合材料を用いて、圧粉磁心として金型成形等によって一体成形することもできる。この場合には、ロータ５及び回転軸部５３の成形精度をより向上させることができる。また、ロータ５及び回転軸部５３を製造する際の２次加工工程等を省略化、簡略化することができ、低コスト化を図ることができる。
また、ロータ５は磁石から構成することもできる。
【符号の説明】
【００５６】
１  球発射装置
２  ベース部材
２０１  一方面
２０２  他方面
２１  収容部
３  コア
３０  間隙部
４  コイル
４１  分割コイル
５  ロータ
６  打球槌
【図１】
0005956204.tif 000002
【図２】
0005956204.tif 000003
【図３】
0005956204.tif 000004
【図４】
0005956204.tif 000005
【図５】
0005956204.tif 000006
【図６】
0005956204.tif 000007
【図７】
0005956204.tif 000008
【図８】
0005956204.tif 000009
【図９】
0005956204.tif 000010